(57)【要約】【課題】複数の還流ダイオードを並列接続した場合に、各還流ダイオードの放熱を十分に行う。【解決手段】インバータ装置１００において、スイッチング素子１０１、１０２と、正方形形状を有する還流ダイオード１０３ａ〜１０３ｄ、１０４ａ〜１０４ｄとは、それぞれ並列に接続されている。互いに隣接する位置に配置された還流ダイオード１０３ａ〜１０３ｄ、１０４ａ〜１０４ｄ同士は、いずれか１つの頂点同士が互いに対向するように配置されている。【選択図】図３
2014187790.tif 000002
【特許請求の範囲】
【請求項１】
スイッチング素子と、
前記スイッチング素子とそれぞれ並列に接続された複数の還流ダイオードと、
前記還流ダイオードのアノード端子および前記スイッチング素子の一端側に接続された第１の導体板と、
前記還流ダイオードのカソード端子および前記スイッチング素子の他端側に接続された第２の導体板と、を備え、
前記還流ダイオードは、多角形形状をそれぞれ有しており、
互いに隣接する位置に配置された前記還流ダイオード同士は、いずれか１つの頂点同士が互いに対向するように配置されていることを特徴とするインバータ装置。
【請求項２】
請求項１に記載のインバータ装置において、
前記還流ダイオードは、前記第１の導体板における電流経路の長さと前記第２の導体板における電流経路の長さとの合計が、少なくとも２つ以上の前記還流ダイオードについて略同一となるように配置されていることを特徴とするインバータ装置。
【請求項３】
請求項２に記載のインバータ装置において、
前記第１の導体板は、負荷側または電源の負極側に接続された第１の端部を有しており、
前記第２の導体板は、前記電源の正極側または前記負荷側に接続された第２の端部を有しており、
前記還流ダイオードは、前記第１の端部から各還流ダイオードのアノード端子までの前記第１の導体板上の長さと、各還流ダイオードのカソード端子から前記第２の端部までの前記第２の導体板上の長さとの合計が、少なくとも２つ以上の前記還流ダイオードについて略同一となるように配置されていることを特徴とするインバータ装置。
【請求項４】
請求項１乃至３のいずれか一項に記載のインバータ装置において、
前記還流ダイオードは、互いに対向する頂点の組の合計数が、前記還流ダイオードの合計数よりも１少なくなるように配置されていることを特徴とするインバータ装置。
【請求項５】
請求項１乃至３のいずれか一項に記載のインバータ装置において、
多角形形状をそれぞれ有する複数の前記スイッチング素子が配置されており、
互いに隣接する位置に配置された前記スイッチング素子同士は、いずれか１つの頂点同士が互いに対向するように配置されていることを特徴とするインバータ装置。
【請求項６】
請求項５に記載のインバータ装置において、
前記スイッチング素子は、前記第１の導体板における電流経路の長さと前記第２の導体板における電流経路の長さとの合計が、少なくとも２つ以上の前記スイッチング素子について略同一となるように配置されていることを特徴とするインバータ装置。
【請求項７】
請求項６に記載のインバータ装置において、
前記第１の導体板は、負荷側または電源の負極側に接続された第１の端部を有しており、
前記第２の導体板は、前記電源の正極側または前記負荷側に接続された第２の端部を有しており、
前記スイッチング素子は、前記第２の端部から各スイッチング素子までの前記第２の導体板上の長さと、各スイッチング素子から前記第１の端部までの前記第１の導体板上の長さとの合計が、少なくとも２つ以上の前記スイッチング素子について略同一となるように配置されていることを特徴とするインバータ装置。
【請求項８】
請求項５に記載のインバータ装置において、
前記スイッチング素子は、互いに対向する頂点の組の合計数が、前記スイッチング素子の合計数よりも１少なくなるように配置されていることを特徴とするインバータ装置。
【発明の詳細な説明】
【技術分野】
【０００１】
本発明は、直流電力を交流電力に変換するインバータ装置に関する。
【背景技術】
【０００２】
従来、ＩＧＢＴやＭＯＳＦＥＴをスイッチング素子に用いて直流電力を交流電力に変換するインバータ装置が広く利用されている。こうしたインバータ装置では、スイッチング時に発生する逆起電力から回路を保護するために、スイッチング素子と逆並列に還流ダイオードが接続されている。
【０００３】
特許文献１には、複数のＩＧＢＴチップと還流ダイオードチップを並列に接続して構成されたＩＧＢＴパッケージにおいて、これらを分散して配置することで、電流や熱が部分的に集中するのを防止する技術が開示されている。
【先行技術文献】
【特許文献】
【０００４】
【特許文献１】特開平１０−９３０８５号公報
【発明の概要】
【発明が解決しようとする課題】
【０００５】
上記特許文献１に記載されたような還流ダイオードの配置方法では、互いに隣接し合うチップ同士の間隔が狭いため、各還流ダイオードの放熱を十分に行うことができない可能性がある。
【課題を解決するための手段】
【０００６】
本発明によるインバータ装置は、スイッチング素子と、スイッチング素子とそれぞれ並列に接続された複数の還流ダイオードと、還流ダイオードのアノード端子およびスイッチング素子の一端側に接続された第１の導体板と、還流ダイオードのカソード端子およびスイッチング素子の他端側に接続された第２の導体板と、を備える。還流ダイオードは、多角形形状をそれぞれ有しており、互いに隣接する位置に配置された還流ダイオード同士は、いずれか１つの頂点同士が互いに対向するように配置されている。
【発明の効果】
【０００７】
本発明によれば、複数の還流ダイオードを並列接続した場合に、各還流ダイオードの放熱を十分に行うことができる。
【図面の簡単な説明】
【０００８】
【図１】本発明に係るインバータ装置の回路構成を示す図である。
【図２】温度によるダイオードの電気的特性の変化を説明するための図である。
【図３】本発明の第１の実施形態によるインバータ装置の実装配置を示した三面図である。
【図４】本発明の第１の実施形態における上アーム部の還流電流経路の一例を示す図である。
【図５】本発明の第２の実施形態によるインバータ装置の実装配置を示した三面図である。
【図６】本発明の第２の実施形態における上アーム部の還流電流経路の一例を示す図である。
【図７】本発明の第３の実施形態によるインバータ装置の実装配置を示した三面図である。
【図８】本発明の第３の実施形態における上アーム部および下アーム部の駆動電流経路の一例を示す図である。
【図９】本発明の第４の実施形態によるインバータ装置の実装配置を示した三面図である。
【図１０】本発明の第４の実施形態における上アーム部の還流電流経路の一例を示す図である。
【図１１】本発明の第５の実施形態によるインバータ装置の実装配置を示した三面図である。
【図１２】本発明の第６の実施形態によるインバータ装置の実装配置を示した三面図である。
【図１３】本発明の第７の実施形態によるインバータ装置の実装配置を示した立体分解図である。
【図１４】本発明の第７の実施形態によるインバータ装置の実装配置を示した図である。
【図１５】本発明の第７の実施形態における下アーム部の還流電流経路の一例を示す図である。
【図１６】本発明の第８の実施形態によるインバータ装置の実装配置を示した図である。
【図１７】本発明の第９の実施形態によるインバータ装置の実装配置を示した図である。
【図１８】本発明の第１０の実施形態によるインバータ装置１００の実装配置を示した図である。
【発明を実施するための形態】
【０００９】
以下、図面を参照して、本発明に係るインバータ装置について説明する。図１は、本発明に係るインバータ装置１００の回路構成を示す図である。インバータ装置１００は、ゲート駆動回路２００、負荷３００、直流電源４００およびキャパシタ５００と接続されており、スイッチング素子１０１および還流ダイオード１０３ａ〜１０３ｄにより構成される上アーム部と、スイッチング素子１０２および還流ダイオード１０４ａ〜１０４ｄにより構成される下アーム部とを備える。
【００１０】
スイッチング素子１０１、１０２は、半導体素子であるＩＧＢＴを用いて構成されている。スイッチング素子１０１のコレクタ端子は、直流電源４００へとつながるＰ端子に接続されており、スイッチング素子１０１のエミッタ端子は、負荷３００へとつながるＡＣ端子に接続されている。スイッチング素子１０２のコレクタ端子は、スイッチング素子１０１のエミッタ端子と同様に、負荷３００へとつながるＡＣ端子に接続されており、スイッチング素子１０２のエミッタ端子は、グランドへとつながるＮ端子に接続されている。また、スイッチング素子１０１、１０２のゲート端子は、ゲート駆動回路２００に接続されている。
【００１１】
スイッチング素子１０１、１０２のスイッチング状態は、ゲート駆動回路２００から出力される駆動信号に応じてそれぞれ制御される。インバータ装置１００は、ゲート駆動回路２００からの駆動信号に応じて、スイッチング素子１０１、１０２を所定のタイミングでそれぞれオンまたはオフさせる。これにより、直流電源４００から供給される直流電力を交流電力に変換し、負荷３００に供給する。なお、ＩＧＢＴの代わりに他の素子、たとえばＭＯＳＦＥＴなどをスイッチング素子１０１、１０２として用いてもよい。
【００１２】
還流ダイオード１０３ａ〜１０３ｄは、スイッチング素子１０１とそれぞれ並列に接続されており、還流ダイオード１０４ａ〜１０４ｄは、スイッチング素子１０２とそれぞれ並列に接続されている。還流ダイオード１０３ａ〜１０３ｄの各アノード端子は、スイッチング素子１０１のエミッタ端子と同様に、ＡＣ端子に接続されており、還流ダイオード１０３ａ〜１０３ｄの各カソード端子は、スイッチング素子１０１のコレクタ端子と同様に、Ｐ端子に接続されている。還流ダイオード１０４ａ〜１０４ｄの各アノード端子は、スイッチング素子１０２のエミッタ端子と同様に、Ｎ端子に接続されており、還流ダイオード１０４ａ〜１０４ｄの各カソード端子は、スイッチング素子１０２のコレクタ端子と同様に、ＡＣ端子に接続されている。
【００１３】
なお、還流ダイオード１０３ａ〜１０３ｄには、インダクタンス成分Ｌ１ａ〜Ｌ１ｄがそれぞれ直列に接続されている。同様に、還流ダイオード１０４ａ〜１０４ｄには、インダクタンス成分Ｌ２ａ〜Ｌ２ｄがそれぞれ直列に接続されている。これらのインダクタンス成分の値は、還流ダイオード１０３ａ〜１０３ｄおよび１０４ａ〜１０４ｄの実装配置や、還流ダイオード１０３ａ〜１０３ｄおよび１０４ａ〜１０４ｄを経由して流れる電流の経路によってそれぞれ異なる。これにより、還流ダイオード１０３ａ〜１０３ｄおよび１０４ａ〜１０４ｄの各々において、スイッチング時の電流変化にばらつきが生じる。その結果、還流ダイオード１０３ａ〜１０３ｄおよび１０４ａ〜１０４ｄの発熱量において偏差が生じ、経年劣化状態や電気的特性の差につながる。
【００１４】
図２は、温度によるダイオードの電気的特性の変化を説明するための図である。たとえば、ＳｉＣ（炭化ケイ素）を用いたショットキバリアダイオード（ＳｉＣ−ＳＢＤ）の場合、アノード−カソード間の電圧をＶｆとし、電流をＩｆとすると、電圧Ｖｆに対する電流Ｉｆの大きさは、温度に応じて図２に示すように変化する。したがって、これを図１の還流ダイオード１０３ａ〜１０３ｄ、１０４ａ〜１０４ｄとして用いた場合、上記のように、発熱量の偏差が電気的特性の差につながることが分かる。
【００１５】
そこで本発明では、還流ダイオード１０３ａ〜１０３ｄおよび１０４ａ〜１０４ｄを含む各半導体素子の配置をインバータ装置１００において工夫することで、インダクタンス成分Ｌ１ａ〜Ｌ１ｄおよびＬ２ａ〜Ｌ２ｄをそれぞれ均一化し、発熱量の偏差を低減するようにした。以下に説明する各実施形態では、インバータ装置１００の様々な実装配置例についてそれぞれ説明する。
【００１６】
（第１の実施形態）
図３は、本発明の第１の実施形態によるインバータ装置１００の実装配置を示した三面図である。図３に示すように、本実施形態では、上アーム部のスイッチング素子１０１および還流ダイオード１０３ａ〜１０３ｄは、高圧側リードフレーム１０５と接続用リードフレーム１０６の間に挟まれて配置されている。また、下アーム部のスイッチング素子１０２および還流ダイオード１０４ａ〜１０４ｄは、低圧側リードフレーム１０８と交流リードフレーム１０７の間に挟まれて配置されている。スイッチング素子１０１、１０２は、表面側にエミッタ端子、裏面側にコレクタ端子がそれぞれ設けられており、還流ダイオード１０３ａ〜１０３ｄ、１０４ａ〜１０４ｄは、表面側にアノード端子、裏面側にカソード端子がそれぞれ設けられている。
【００１７】
上アーム部において、スイッチング素子１０１のコレクタ端子および還流ダイオード１０３ａ〜１０３ｄの各カソード端子は、高圧側リードフレーム１０５に接続されている。高圧側リードフレーム１０５の上端部には、前述のＰ端子が形成されている。すなわち、スイッチング素子１０１のコレクタ端子と還流ダイオード１０３ａ〜１０３ｄの各カソード端子は、高圧側リードフレーム１０５を介して、図１の直流電源４００に接続されている。
【００１８】
また、スイッチング素子１０１のエミッタ端子および還流ダイオード１０３ａ〜１０３ｄの各アノード端子は、金属スペーサ１０９を介して接続用リードフレーム１０６に接続されている。接続用リードフレーム１０６の右下端部は、交流リードフレーム１０７と接合されており、交流リードフレーム１０７の上端部には、前述のＡＣ端子が形成されている。すなわち、スイッチング素子１０１のエミッタ端子と還流ダイオード１０３ａ〜１０３ｄの各アノード端子は、接続用リードフレーム１０６および交流リードフレーム１０７を介して、図１の負荷３００に接続されている。
【００１９】
一方、下アーム部において、スイッチング素子１０２のコレクタ端子および還流ダイオード１０４ａ〜１０４ｄの各カソード端子は、交流リードフレーム１０７に接続されている。交流リードフレーム１０７の上端部には、上記のようにＡＣ端子が形成されている。すなわち、スイッチング素子１０２のコレクタ端子と還流ダイオード１０４ａ〜１０４ｄの各カソード端子は、交流リードフレーム１０７を介して、図１の負荷３００に接続されている。
【００２０】
また、スイッチング素子１０２のエミッタ端子および還流ダイオード１０４ａ〜１０４ｄの各アノード端子は、金属スペーサ１０９を介して低圧側リードフレーム１０８に接続されている。低圧側リードフレーム１０８の上端部には、前述のＮ端子が形成されている。すなわち、スイッチング素子１０２のエミッタ端子と還流ダイオード１０４ａ〜１０４ｄの各アノード端子は、低圧側リードフレーム１０８を介して、図１の回路図に示したグランドに接続されている。
【００２１】
還流ダイオード１０３ａ〜１０３ｄおよび１０４ａ〜１０４ｄは、正方形形状をそれぞれ有している。上アーム部の還流ダイオード１０３ａ〜１０３ｄは、各辺の方向に対して斜め４５°の方向に延びる直線上に並べて実装配置されている。一方、下アーム部の還流ダイオード１０４ａ〜１０４ｄは、図の左右方向に対して各辺の方向が斜め４５°となるような向きに、直線上に並べて実装配置されている。このような配置により、還流ダイオード１０３ａ〜１０３ｄおよび１０４ａ〜１０４ｄでは、対向する位置にある頂点同士を近接させて、辺同士を近接させないようにすることができる。すなわち、還流ダイオード１０３ａ〜１０３ｄおよび１０４ａ〜１０４ｄのうち、互いに隣接する位置に配置されたもの同士は、いずれか１つの頂点同士が互いに対向するように配置されている。
【００２２】
上記のような配置とすることで、還流ダイオード１０３ａ〜１０３ｄおよび１０４ａ〜１０４ｄにおいて、互いの熱的な干渉を軽減することができる。そのため、還流ダイオード１０３ａ〜１０３ｄおよび１０４ａ〜１０４ｄの放熱を十分に行うことができる。
【００２３】
なお、還流ダイオード１０３ａ〜１０３ｄでは、還流ダイオード１０３ａと１０３ｂ、還流ダイオード１０３ｂと１０３ｃ、還流ダイオード１０３ｃと１０３ｄがそれぞれ互いに隣接している。すなわち、４個の還流ダイオード１０３ａ〜１０３ｄに対して、対向する頂点の組の合計数は３つである。同様に、４個の還流ダイオード１０４ａ〜１０４ｄに対しても、対向する頂点の組の合計数は３つである。このように、還流ダイオード１０３ａ〜１０３ｄ、１０４ａ〜１０４ｄは、互いに対向する頂点の組の合計数が、還流ダイオード１０３ａ〜１０３ｄ、１０４ａ〜１０４ｄの各合計数よりも１少なくなるようにそれぞれ配置されている。こうした配置とすることで、これらを環状に配置した場合と比べて、互いの熱的な干渉をさらに低減し、放熱性能を向上させることができる。
【００２４】
図４は、本発明の第１の実施形態における上アーム部の還流電流経路の一例を示す図である。なお図４では、還流電流経路を分かりやすく示すために、スイッチング素子１０１、１０２の図示を省略している。
【００２５】
本実施形態において、上アーム部の還流ダイオード１０３ａ〜１０３ｄを経由して流れる還流電流は、接続用リードフレーム１０６および高圧側リードフレーム１０５において、図４に示すような電流経路１１０をそれぞれ通る。具体的には、ＡＣ端子から入力された還流電流は、最初に交流リードフレーム１０７を通過した後、接続用リードフレーム１０６に到達する。接続用リードフレーム１０６では、交流リードフレーム１０７との接合部から、還流ダイオード１０３ａ〜１０３ｄの各アノード端子まで、実線で示した電流経路１１０を通って還流電流が流れる。還流ダイオード１０３ａ〜１０３ｄを通過すると、還流電流は、高圧側リードフレーム１０５において、還流ダイオード１０３ａ〜１０３ｄの各カソード端子からＰ端子まで、破線で示した電流経路１１０を通って流れる。
【００２６】
ここで、実線で示した接続用リードフレーム１０６における電流経路１１０の長さは、交流リードフレーム１０７を介して負荷３００側に接続された右下端部から、還流ダイオード１０３ａ〜１０３ｄの各アノード端子までの接続用リードフレーム１０６上の長さとほぼ等しい。また、破線で示した高圧側リードフレーム１０５における電流経路１１０の長さは、還流ダイオード１０３ａ〜１０３ｄの各カソード端子から、直流電源４００の正極側に接続されたＰ端子、すなわち上端部までの高圧側リードフレーム１０５上の長さとほぼ等しい。これらの長さの合計は、全ての還流ダイオード１０３ａ〜１０３ｄについて、大体同じ程度である。このように、本実施形態では、接続用リードフレーム１０６における電流経路１１０の長さと、高圧側リードフレーム１０５における電流経路１１０の長さとの合計が、全ての還流ダイオード１０３ａ〜１０３ｄについて略同一となるように、還流ダイオード１０３ａ〜１０３ｄが配置されている。これにより、図１に示したインダクタンス成分Ｌ１ａ〜Ｌ１ｄを均一化することができる。したがって、還流ダイオード１０３ａ〜１０３ｄにおける発熱量の偏差を低減し、これらの電気的特性を揃えることができる。
【００２７】
なお、図４では上アーム部における還流電流経路の一例を示したが、下アーム部における還流電流経路についても同様である。すなわち、低圧側リードフレーム１０８における電流経路の長さと、交流リードフレーム１０７における電流経路の長さとの合計が、全ての還流ダイオード１０４ａ〜１０４ｄについて略同一となるように、還流ダイオード１０４ａ〜１０４ｄが配置されている。これにより、図１に示したインダクタンス成分Ｌ２ａ〜Ｌ２ｄを均一化することができる。したがって、還流ダイオード１０４ａ〜１０４ｄにおける発熱量の偏差を低減し、これらの電気的特性を揃えることができる。
【００２８】
以上説明した本発明の第１の実施形態によれば、以下の作用効果を奏する。
【００２９】
（１）インバータ装置１００において、スイッチング素子１０１、１０２と、正方形形状を有する還流ダイオード１０３ａ〜１０３ｄ、１０４ａ〜１０４ｄとは、それぞれ並列に接続されている。互いに隣接する位置に配置された還流ダイオード１０３ａ〜１０３ｄ、１０４ａ〜１０４ｄ同士は、いずれか１つの頂点同士が互いに対向するように配置されている。このようにしたので、還流ダイオード１０３ａ〜１０３ｄ、１０４ａ〜１０４ｄをそれぞれ並列接続した場合に、これらの放熱を十分に行うことができる。
【００３０】
（２）上アーム部において、還流ダイオード１０３ａ〜１０３ｄのアノード端子およびスイッチング素子１０１の一端側（エミッタ端子側）には、接続用リードフレーム１０６が接続されており、還流ダイオード１０３ａ〜１０３ｄのカソード端子およびスイッチング素子１０１の他端側（コレクタ端子側）には、高圧側リードフレーム１０５が接続されている。還流ダイオード１０３ａ〜１０３ｄは、接続用リードフレーム１０６における電流経路１１０の長さと、高圧側リードフレーム１０５における電流経路１１０の長さとの合計が、全ての還流ダイオード１０３ａ〜１０３ｄについて略同一となるように配置されている。具体的には、交流リードフレーム１０７を介して負荷３００側に接続された接続用リードフレーム１０６の右下端部から、各還流ダイオード１０３ａ〜１０３ｄのアノード端子までの接続用リードフレーム１０６上の長さと、各還流ダイオード１０３ａ〜１０３ｄのカソード端子から、直流電源４００の正極側に接続された高圧側リードフレーム１０５の上端部までの高圧側リードフレーム１０５上の長さとの合計が、全ての還流ダイオード１０３ａ〜１０３ｄについて略同一となるように、還流ダイオード１０３ａ〜１０３ｄは配置されている。このようにしたので、インダクタンス成分Ｌ１ａ〜Ｌ１ｄを均一化し、還流ダイオード１０３ａ〜１０３ｄの電気的特性を揃えることができる。
【００３１】
（３）また、下アーム部において、還流ダイオード１０４ａ〜１０４ｄのアノード端子およびスイッチング素子１０２の一端側（エミッタ端子側）には、低圧側リードフレーム１０８が接続されており、還流ダイオード１０４ａ〜１０４ｄのカソード端子およびスイッチング素子１０２の他端側（コレクタ端子側）には、交流リードフレーム１０７が接続されている。還流ダイオード１０４ａ〜１０４ｄは、低圧側リードフレーム１０８における電流経路１１０の長さと、交流リードフレーム１０７における電流経路１１０の長さとの合計が、全ての還流ダイオード１０４ａ〜１０４ｄについて略同一となるように配置されている。具体的には、直流電源４００の負極側に接続された低圧側リードフレーム１０８の上端部から、各還流ダイオード１０４ａ〜１０４ｄのアノード端子までの低圧側リードフレーム１０８上の長さと、各還流ダイオード１０４ａ〜１０４ｄのカソード端子から、負荷３００側に接続された交流リードフレーム１０７の上端部までの交流リードフレーム１０７上の長さとの合計が、全ての還流ダイオード１０４ａ〜１０４ｄについて略同一となるように、還流ダイオード１０４ａ〜１０４ｄは配置されている。このようにしたので、インダクタンス成分Ｌ２ａ〜Ｌ２ｄを均一化し、還流ダイオード１０４ａ〜１０４ｄの電気的特性を揃えることができる。
【００３２】
（４）還流ダイオード１０３ａ〜１０３ｄ、１０４ａ〜１０４ｄは、互いに対向する頂点の組の合計数が、還流ダイオード１０３ａ〜１０３ｄ、１０４ａ〜１０４ｄの各合計数よりも１少なくなるようにそれぞれ配置されている。このようにしたので、放熱性能をさらに向上させることができる。
【００３３】
（第２の実施形態）
図５は、本発明の第２の実施形態によるインバータ装置１００の実装配置を示した三面図である。本実施形態では、上アーム部の還流ダイオード１０３ａ〜１０３ｄと、下アーム部の還流ダイオード１０４ａ〜１０４ｄとが、図５に示すような位置関係でそれぞれ並べて配置されている。この配置では、前述の第１の実施形態と同様に、還流ダイオード１０３ａ〜１０３ｄおよび１０４ａ〜１０４ｄのうち、互いに隣接する位置に配置されたもの同士が、いずれか１つの頂点同士が互いに対向するように配置されている。そのため、互いの熱的な干渉を軽減し、還流ダイオード１０３ａ〜１０３ｄおよび１０４ａ〜１０４ｄの放熱を十分に行うことができる。
【００３４】
図６は、本発明の第２の実施形態における上アーム部の還流電流経路の一例を示す図である。なお図６では、還流電流経路を分かりやすく示すために、スイッチング素子１０１、１０２の図示を省略している。
【００３５】
本実施形態では、還流ダイオード１０３ａおよび１０３ｂについては、接続用リードフレーム１０６における電流経路１１０の長さと、高圧側リードフレーム１０５における電流経路１１０の長さとの合計が略同一である。また、これとは別に、残りの還流ダイオード１０３ｃおよび１０３ｄについても、接続用リードフレーム１０６における電流経路１１０の長さと、高圧側リードフレーム１０５における電流経路１１０の長さとの合計が略同一である。したがって、インダクタンス成分Ｌ１ａ、Ｌ１ｂを均一化すると共に、インダクタンス成分Ｌ１ｃ、Ｌ１ｄを均一化することができる。したがって、還流ダイオード１０３ａおよび１０３ｂの組み合わせと、還流ダイオード１０３ｃおよび１０３ｄの組み合わせとについて、それぞれの組み合わせにおける発熱量の偏差を低減し、電気的特性を揃えることができる。
【００３６】
なお、図６では上アーム部における還流電流経路の一例を示したが、下アーム部における還流電流経路の長さは、還流ダイオード１０４ａと１０４ｄの組み合わせについて略同一である。それ以外の還流ダイオード１０４ｂ、１０４ｃについては、還流電流経路の長さは必ずしも同一ではない。
【００３７】
以上説明した本発明の第２の実施形態によれば、第１の実施形態には若干劣るものの、第１の実施形態と同様に、還流ダイオード１０３ａ〜１０３ｄ、１０４ａ〜１０４ｄをそれぞれ並列接続した場合に、これらの放熱を十分に行うことができる。また、インダクタンス成分Ｌ１ａ〜Ｌ１ｄ、Ｌ２ａ〜Ｌ２ｄをそれぞれ均一化し、還流ダイオード１０３ａ〜１０３ｄ、１０４ａ〜１０４ｄの電気的特性をそれぞれ揃えることができる。
【００３８】
（第３の実施形態）
図７は、本発明の第３の実施形態によるインバータ装置１００の実装配置を示した三面図である。本実施形態では、上アーム部にはスイッチング素子１０１ａ〜１０１ｄが、下アーム部にはスイッチング素子１０２ａ〜１０２ｄが、それぞれ図７に示すような位置関係でそれぞれ並べて配置されている。このような配置により、スイッチング素子１０１ａ〜１０１ｄおよび１０２ａ〜１０２ｄでは、対向する位置にある頂点同士を近接させて、辺同士を近接させないようにすることができる。すなわち、スイッチング素子１０１ａ〜１０１ｄおよび１０２ａ〜１０２ｄのうち、互いに隣接する位置に配置されたもの同士は、いずれか１つの頂点同士が互いに対向するように配置されている。これにより、スイッチング素子１０１ａ〜１０１ｄおよび１０２ａ〜１０２ｄにおいて、互いの熱的な干渉を軽減することができる。そのため、スイッチング素子１０１ａ〜１０１ｄおよび１０２ａ〜１０２ｄの放熱を十分に行うことができる。なお、スイッチング素子１０１ａ〜１０１ｄ、１０２ａ〜１０２ｄは、それぞれ電気的に並列に接続されている。
【００３９】
なお、スイッチング素子１０１ａ〜１０１ｄでは、スイッチング素子１０１ａと１０１ｂ、スイッチング素子１０１ｂと１０１ｃ、スイッチング素子１０１ｃと１０１ｄがそれぞれ互いに隣接している。すなわち、４個のスイッチング素子１０１ａ〜１０１ｄに対して、対向する頂点の組の合計数は３つである。同様に、４個のスイッチング素子１０２ａ〜１０２ｄに対しても、対向する頂点の組の合計数は３つである。このように、スイッチング素子１０１ａ〜１０１ｄ、１０２ａ〜１０２ｄは、互いに対向する頂点の組の合計数が、スイッチング素子１０１ａ〜１０１ｄ、１０２ａ〜１０２ｄの各合計数よりも１少なくなるようにそれぞれ配置されている。こうした配置とすることで、これらを環状に配置した場合と比べて、互いの熱的な干渉をさらに低減し、放熱性能を向上させることができる。
【００４０】
図８は、本発明の第３の実施形態における上アーム部および下アーム部の駆動電流経路の一例を示す図である。なお図８では、駆動電流経路を分かりやすく示すために、スイッチング素子１０１、１０２の図示を省略している。
【００４１】
上アーム部のスイッチング素子１０１ａ〜１０１ｄを経由して流れる駆動電流は、高圧側リードフレーム１０５および接続用リードフレーム１０６において、図８に示すような電流経路１１１をそれぞれ通る。具体的には、高圧側リードフレーム１０５では、Ｐ端子からスイッチング素子１０１ａ〜１０１ｄの各コレクタ端子まで、実線で示した電流経路１１１を通って駆動電流が流れる。スイッチング素子１０１ａ〜１０１ｄを通過すると、駆動電流は、接続用リードフレーム１０６において、スイッチング素子１０１ａ〜１０１ｄの各エミッタ端子から交流リードフレーム１０７との接合部まで、破線で示した電流経路１１１を通って流れる。
【００４２】
ここで、実線で示した高圧側リードフレーム１０５における電流経路１１１の長さは、直流電源４００の正極側に接続されたＰ端子、すなわち上端部から、スイッチング素子１０１ａ〜１０１ｄの各コレクタ端子までの高圧側リードフレーム１０５上の長さとほぼ等しい。また、破線で示した接続用リードフレーム１０６における電流経路１１１の長さは、スイッチング素子１０１ａ〜１０１ｄの各エミッタ端子から、交流リードフレーム１０７を介して負荷３００側に接続された右下端部までの接続用リードフレーム１０６上の長さとほぼ等しい。これらの長さの合計は、全てのスイッチング素子１０１ａ〜１０１ｄについて、大体同じ程度である。このように、本実施形態では、接続用リードフレーム１０６における電流経路１１１の長さと、高圧側リードフレーム１０５における電流経路１１０の長さとの合計が、全てのスイッチング素子１０１ａ〜１０１ｄについて略同一となるように、スイッチング素子１０１ａ〜１０１ｄが配置されている。これにより、スイッチング素子１０１ａ〜１０１ｄに対してそれぞれ直列に存在する各インダクタンス成分についても、前述のインダクタンス成分Ｌ１ａ〜Ｌ１ｄと同様に、均一化することができる。したがって、スイッチング素子１０１ａ〜１０１ｄにおける発熱量の偏差を低減し、これらの電気的特性を揃えることができる。
【００４３】
一方、下アーム部のスイッチング素子１０２ａ〜１０２ｄを経由して流れる駆動電流は、交流リードフレーム１０７および低圧側リードフレーム１０８において、図８に示すような電流経路１１１をそれぞれ通る。具体的には、交流リードフレーム１０７では、ＡＣ端子からスイッチング素子１０２ａ〜１０２ｄの各コレクタ端子まで、実線で示した電流経路１１１を通って駆動電流が流れる。スイッチング素子１０２ａ〜１０２ｄを通過すると、駆動電流は、低圧側リードフレーム１０８において、スイッチング素子１０２ａ〜１０２ｄの各エミッタ端子からＮ端子まで、破線で示した電流経路１１１を通って流れる。
【００４４】
ここで、実線で示した交流リードフレーム１０７における電流経路１１１の長さは、負荷３００側に接続されたＡＣ端子、すなわち上端部から、スイッチング素子１０２ａ〜１０２ｄの各コレクタ端子までの交流リードフレーム１０７上の長さとほぼ等しい。また、破線で示した低圧側リードフレーム１０８における電流経路１１１の長さは、スイッチング素子１０２ａ〜１０２ｄの各エミッタ端子から、直流電源４００の負極側に接続されたＮ端子、すなわち上端部までの低圧側リードフレーム１０８上の長さとほぼ等しい。これらの長さの合計は、全てのスイッチング素子１０２ａ〜１０２ｄについて、大体同じ程度である。このように、本実施形態では、交流リードフレーム１０７における電流経路１１１の長さと、低圧側リードフレーム１０８における電流経路１１１の長さとの合計が、全てのスイッチング素子１０２ａ〜１０２ｄについて略同一となるように、スイッチング素子１０２ａ〜１０２ｄが配置されている。これにより、スイッチング素子１０２ａ〜１０２ｄに対してそれぞれ直列に存在する各インダクタンス成分についても、前述のインダクタンス成分Ｌ２ａ〜Ｌ２ｄと同様に、均一化することができる。したがって、スイッチング素子１０２ａ〜１０２ｄにおける発熱量の偏差を低減し、これらの電気的特性を揃えることができる。
【００４５】
以上説明した本発明の第３の実施形態によれば、以下の作用効果を奏する。
【００４６】
（５）インバータ装置１００において、正方形形状を有するスイッチング素子１０１ａ〜１０１ｄ、１０２ａ〜１０２ｄは、それぞれ並列に接続されている。互いに隣接する位置に配置されたスイッチング素子１０１ａ〜１０１ｄ、１０２ａ〜１０２ｄ同士は、いずれか１つの頂点同士が互いに対向するように配置されている。このようにしたので、スイッチング素子１０１ａ〜１０１ｄ、１０２ａ〜１０２ｄをそれぞれ並列接続した場合に、これらの放熱を十分に行うことができる。
【００４７】
（６）上アーム部において、スイッチング素子１０１ａ〜１０１ｄは、接続用リードフレーム１０６における電流経路１１１の長さと、高圧側リードフレーム１０５における電流経路１１１の長さとの合計が、全てのスイッチング素子１０１ａ〜１０１ｄについて略同一となるように配置されている。また、下アーム部において、スイッチング素子１０２ａ〜１０２ｄは、低圧側リードフレーム１０８における電流経路１１１の長さと、交流リードフレーム１０７における電流経路１１１の長さとの合計が、全てのスイッチング素子１０２ａ〜１０２ｄについて略同一となるように配置されている。このようにしたので、スイッチング素子１０１ａ〜１０１ｄ、１０２ａ〜１０２ｄに対して直列に存在するインダクタンス成分をそれぞれ均一化し、スイッチング素子１０１ａ〜１０１ｄ、１０２ａ〜１０２ｄの電気的特性をそれぞれ揃えることができる。
【００４８】
（７）スイッチング素子１０１ａ〜１０１ｄ、１０２ａ〜１０２ｄは、互いに対向する頂点の組の合計数が、スイッチング素子１０１ａ〜１０１ｄ、１０２ａ〜１０２ｄの各合計数よりも１少なくなるようにそれぞれ配置されている。このようにしたので、放熱性能をさらに向上させることができる。
【００４９】
（第４の実施形態）
図９は、本発明の第４の実施形態によるインバータ装置１００の実装配置を示した三面図である。本実施形態では、上アーム部の還流ダイオード１０３ａ〜１０３ｄと、下アーム部の還流ダイオード１０４ａ〜１０４ｄとが、図９に示すような位置関係でそれぞれ並べて配置されている。また、交流リードフレーム１０７は図９に示すような形状を有しており、その下端部にＡＣ端子が形成されている。接続用リードフレーム１０６は、下端部において交流リードフレーム１０７と接合されている。
【００５０】
図１０は、本発明の第４の実施形態における上アーム部の還流電流経路の一例を示す図である。なお図１０では、還流電流経路を分かりやすく示すために、スイッチング素子１０１、１０２の図示を省略している。
【００５１】
本実施形態において、上アーム部の還流ダイオード１０３ａ〜１０３ｄを経由して流れる還流電流は、接続用リードフレーム１０６および高圧側リードフレーム１０５において、図１０に示すような電流経路１１０をそれぞれ通る。実線で示した接続用リードフレーム１０６における電流経路１１０の長さは、交流リードフレーム１０７を介して負荷３００側に接続された下端部から、還流ダイオード１０３ａ〜１０３ｄの各アノード端子までの接続用リードフレーム１０６上の長さとほぼ等しい。また、破線で示した高圧側リードフレーム１０５における電流経路１１０の長さは、還流ダイオード１０３ａ〜１０３ｄの各カソード端子から、直流電源４００の正極側に接続されたＰ端子、すなわち上端部までの高圧側リードフレーム１０５上の長さとほぼ等しい。これらの長さの合計は、全ての還流ダイオード１０３ａ〜１０３ｄについて、大体同じ程度である。このように、本実施形態においても、接続用リードフレーム１０６における電流経路１１０の長さと、高圧側リードフレーム１０５における電流経路１１０の長さとの合計が、全ての還流ダイオード１０３ａ〜１０３ｄについて略同一となるように、還流ダイオード１０３ａ〜１０３ｄが配置されている。これにより、図１に示したインダクタンス成分Ｌ１ａ〜Ｌ１ｄを均一化することができる。したがって、還流ダイオード１０３ａ〜１０３ｄにおける発熱量の偏差を低減し、これらの電気的特性を揃えることができる。
【００５２】
なお、図１０では上アーム部における還流電流経路の一例を示したが、下アーム部における還流電流経路についても上記と同様の関係が成り立つ。すなわち、低圧側リードフレーム１０８における電流経路の長さは、直流電源４００の負極側に接続されたＮ端子、すなわち上端部から、還流ダイオード１０４ａ〜１０４ｄの各アノード端子までの低圧側リードフレーム１０８上の長さとほぼ等しい。また、交流リードフレーム１０７における電流経路の長さは、還流ダイオード１０４ａ〜１０４ｄの各カソード端子から、負荷３００側に接続されたＡＣ端子、すなわち下端部までの交流リードフレーム１０７上の長さとほぼ等しい。これらの長さの合計は、全ての還流ダイオード１０４ａ〜１０４ｄについて、大体同じ程度である。このように、本実施形態においても、低圧側リードフレーム１０８における電流経路の長さと、交流リードフレーム１０７における電流経路の長さとの合計が、全ての還流ダイオード１０４ａ〜１０４ｄについて略同一となるように、還流ダイオード１０４ａ〜１０４ｄが配置されている。これにより、図１に示したインダクタンス成分Ｌ２ａ〜Ｌ２ｄを均一化することができる。したがって、還流ダイオード１０４ａ〜１０４ｄにおける発熱量の偏差を低減し、これらの電気的特性を揃えることができる。
【００５３】
以上説明した本発明の第４の実施形態によれば、第１の実施形態と同様に、還流ダイオード１０３ａ〜１０３ｄ、１０４ａ〜１０４ｄをそれぞれ並列接続した場合に、インダクタンス成分Ｌ１ａ〜Ｌ１ｄ、Ｌ２ａ〜Ｌ２ｄをそれぞれ均一化し、還流ダイオード１０３ａ〜１０３ｄ、１０４ａ〜１０４ｄの電気的特性をそれぞれ揃えることができる。
【００５４】
（第５の実施形態）
図１１は、本発明の第５の実施形態によるインバータ装置１００の実装配置を示した三面図である。本実施形態では、上アーム部の還流ダイオード１０３ａ〜１０３ｄと、下アーム部の還流ダイオード１０４ａ〜１０４ｄとが、図１１に示すような位置関係でそれぞれ並べて配置されている。なお、接続用リードフレーム１０６および交流リードフレーム１０７の形状は、図９に示した第４の実施形態のものとそれぞれ同じである。
【００５５】
本実施形態では、前述の第１の実施形態と同様に、図１１に示すように、還流ダイオード１０３ａ〜１０３ｄおよび１０４ａ〜１０４ｄのうち、互いに隣接する位置に配置されたもの同士が、いずれか１つの頂点同士が互いに対向するように配置されている。さらに、還流ダイオード１０３ａ〜１０３ｄでは、還流ダイオード１０３ａと１０３ｂ、還流ダイオード１０３ｂと１０３ｃ、還流ダイオード１０３ｃと１０３ｄがそれぞれ互いに隣接している。すなわち、４個の還流ダイオード１０３ａ〜１０３ｄに対して、対向する頂点の組の合計数は３つである。同様に、４個の還流ダイオード１０４ａ〜１０４ｄに対しても、対向する頂点の組の合計数は３つである。このように、還流ダイオード１０３ａ〜１０３ｄ、１０４ａ〜１０４ｄは、互いに対向する頂点の組の合計数が、還流ダイオード１０３ａ〜１０３ｄ、１０４ａ〜１０４ｄの各合計数よりも１少なくなるようにそれぞれ配置されている。そのため、互いの熱的な干渉を軽減し、還流ダイオード１０３ａ〜１０３ｄおよび１０４ａ〜１０４ｄの放熱を十分に行うことができる。
【００５６】
また、前述の第４の実施形態と同様に、還流ダイオード１０３ａ〜１０３ｄ、１０４ａ〜１０４ｄでは、還流電流経路の長さがそれぞれ略同一である。したがって、還流ダイオード１０３ａ〜１０３ｄ、１０４ａ〜１０４ｄをそれぞれ並列接続した場合に、インダクタンス成分Ｌ１ａ〜Ｌ１ｄ、Ｌ２ａ〜Ｌ２ｄをそれぞれ均一化し、還流ダイオード１０３ａ〜１０３ｄ、１０４ａ〜１０４ｄの電気的特性をそれぞれ揃えることができる。
【００５７】
（第６の実施形態）
図１２は、本発明の第６の実施形態によるインバータ装置１００の実装配置を示した三面図である。本実施形態では、上アーム部の還流ダイオード１０３ａ〜１０３ｄと、下アーム部の還流ダイオード１０４ａ〜１０４ｄとが、図１２に示すような位置関係でそれぞれ並べて配置されている。なお、接続用リードフレーム１０６および交流リードフレーム１０７の形状は、図９、１１にそれぞれ示した第４、第５の実施形態のものとそれぞれ同じである。
【００５８】
本実施形態でも、前述の第５の実施形態と同様に、還流ダイオード１０３ａ〜１０３ｄおよび１０４ａ〜１０４ｄのうち、互いに隣接する位置に配置されたもの同士が、いずれか１つの頂点同士が互いに対向するように配置されている。そのため、互いの熱的な干渉を軽減し、還流ダイオード１０３ａ〜１０３ｄおよび１０４ａ〜１０４ｄの放熱を十分に行うことができる。
【００５９】
また、第４および第５の実施形態と同様に、還流ダイオード１０３ａ〜１０３ｄ、１０４ａ〜１０４ｄでは、還流電流経路の長さがそれぞれ略同一である。したがって、還流ダイオード１０３ａ〜１０３ｄ、１０４ａ〜１０４ｄをそれぞれ並列接続した場合に、インダクタンス成分Ｌ１ａ〜Ｌ１ｄ、Ｌ２ａ〜Ｌ２ｄをそれぞれ均一化し、還流ダイオード１０３ａ〜１０３ｄ、１０４ａ〜１０４ｄの電気的特性をそれぞれ揃えることができる。
【００６０】
（第７の実施形態）
図１３は、本発明の第７の実施形態によるインバータ装置１００の実装配置を示した立体分解図である。本実施形態では、図１２に示すように、交流リードフレーム１０７を間に挟んで、上アーム部のスイッチング素子１０１および還流ダイオード１０３ａ〜１０３ｄの上に、下アーム部のスイッチング素子１０２および還流ダイオード１０４ａ〜１０４ｄが重ねて配置されている。上アーム部のスイッチング素子１０１および還流ダイオード１０３ａ〜１０３ｄの下には、高圧側リードフレーム１０５が配置されており、下アーム部のスイッチング素子１０２および還流ダイオード１０４ａ〜１０４ｄの上には、低圧側リードフレーム１０８が配置されている。
【００６１】
図１４は、本発明の第７の実施形態によるインバータ装置１００の実装配置を示した図である。図１４（ａ）は、交流リードフレーム１０７と低圧側リードフレーム１０８の間に、下アーム部のスイッチング素子１０２および還流ダイオード１０４ａ〜１０４ｄが配置された下アームアセンブリの平面図を示している。図１４（ｂ）は、高圧側リードフレーム１０５の上に、上アーム部のスイッチング素子１０１および還流ダイオード１０３ａ〜１０３ｄが配置された上アームアセンブリの平面図を示している。図１４（ｃ）は、これらを組み合わせたものの側面図である。
【００６２】
図１４（ｂ）の上アームアセンブリの上に重ねて、図１４（ａ）の下アームアセンブリを配置することにより、これらが図１４（ｃ）のように組み合わされる。これにより、図１３に示したような構造のインバータ装置１００を組み立てることができる。
【００６３】
図１５は、本発明の第７の実施形態における下アーム部の還流電流経路の一例を示す図である。なお図１５では、還流電流経路を分かりやすく示すために、スイッチング素子１０２の図示を省略している。
【００６４】
本実施形態において、下アーム部の還流ダイオード１０４ａ〜１０４ｄを経由して流れる還流電流は、低圧側リードフレーム１０８および交流リードフレーム１０７において、図１５に示すような電流経路１１０をそれぞれ通る。実線で示した低圧側リードフレーム１０８における電流経路１１０の長さは、直流電源４００の負極側に接続されたＮ端子、すなわち上端部から、還流ダイオード１０４ａ〜１０４ｄの各アノード端子までの低圧側リードフレーム１０８上の長さとほぼ等しい。また、交流リードフレーム１０７における電流経路の長さは、還流ダイオード１０４ａ〜１０４ｄの各カソード端子から、負荷３００側に接続されたＡＣ端子、すなわち下端部までの交流リードフレーム１０７上の長さとほぼ等しい。これらの長さの合計は、全ての還流ダイオード１０４ａ〜１０４ｄについて、大体同じ程度である。このように、本実施形態においても、低圧側リードフレーム１０８における電流経路の長さと、交流リードフレーム１０７における電流経路の長さとの合計が、全ての還流ダイオード１０４ａ〜１０４ｄについて略同一となるように、還流ダイオード１０４ａ〜１０４ｄが配置されている。これにより、図１に示したインダクタンス成分Ｌ２ａ〜Ｌ２ｄを均一化することができる。したがって、還流ダイオード１０４ａ〜１０４ｄにおける発熱量の偏差を低減し、これらの電気的特性を揃えることができる。
【００６５】
なお、図１５では下アーム部における還流電流経路の一例を示したが、上アーム部における還流電流経路についても同様である。すなわち、接続用リードフレーム１０６における電流経路の長さと、高圧側リードフレーム１０５における電流経路の長さとの合計が、全ての還流ダイオード１０３ａ〜１０３ｄについて略同一となるように、還流ダイオード１０３ａ〜１０３ｄが配置されている。これにより、図１に示したインダクタンス成分Ｌ１ａ〜Ｌ１ｄを均一化することができる。したがって、還流ダイオード１０３ａ〜１０３ｄにおける発熱量の偏差を低減し、これらの電気的特性を揃えることができる。
【００６６】
（第８の実施形態）
図１６は、本発明の第８の実施形態によるインバータ装置１００の実装配置を示した図である。本実施形態では、上アーム部の還流ダイオード１０３ａ〜１０３ｄと、下アーム部の還流ダイオード１０４ａ〜１０４ｄとが、図１６に示すような位置関係でそれぞれ並べて配置されている。なお、図１６（ａ）は、交流リードフレーム１０７と低圧側リードフレーム１０８の間に、下アーム部のスイッチング素子１０２および還流ダイオード１０４ａ〜１０４ｄが配置された下アームアセンブリの平面図を示している。図１６（ｂ）は、高圧側リードフレーム１０５の上に、上アーム部のスイッチング素子１０１および還流ダイオード１０３ａ〜１０３ｄが配置された上アームアセンブリの平面図を示している。図１６（ｃ）は、これらを組み合わせたものの側面図である。
【００６７】
本実施形態では、前述の第１の実施形態等と同様に、還流ダイオード１０３ａ〜１０３ｄおよび１０４ａ〜１０４ｄのうち、互いに隣接する位置に配置されたもの同士が、いずれか１つの頂点同士が互いに対向するように配置されている。そのため、互いの熱的な干渉を軽減し、還流ダイオード１０３ａ〜１０３ｄおよび１０４ａ〜１０４ｄの放熱を十分に行うことができる。
【００６８】
また、第７の実施形態と同様に、還流ダイオード１０３ａ〜１０３ｄ、１０４ａ〜１０４ｄでは、還流電流経路の長さがそれぞれ略同一である。したがって、還流ダイオード１０３ａ〜１０３ｄ、１０４ａ〜１０４ｄをそれぞれ並列接続した場合に、インダクタンス成分Ｌ１ａ〜Ｌ１ｄ、Ｌ２ａ〜Ｌ２ｄをそれぞれ均一化し、還流ダイオード１０３ａ〜１０３ｄ、１０４ａ〜１０４ｄの電気的特性をそれぞれ揃えることができる。
【００６９】
（第９の実施形態）
図１７は、本発明の第９の実施形態によるインバータ装置１００の実装配置を示した図である。本実施形態では、上アーム部の還流ダイオード１０３ａ〜１０３ｄと、下アーム部の還流ダイオード１０４ａ〜１０４ｄとが、図１７に示すような位置関係でそれぞれ並べて配置されている。なお、図１７（ａ）は、交流リードフレーム１０７と低圧側リードフレーム１０８の間に、下アーム部のスイッチング素子１０２および還流ダイオード１０４ａ〜１０４ｄが配置された下アームアセンブリの平面図を示している。図１７（ｂ）は、高圧側リードフレーム１０５の上に、上アーム部のスイッチング素子１０１および還流ダイオード１０３ａ〜１０３ｄが配置された上アームアセンブリの平面図を示している。図１７（ｃ）は、これらを組み合わせたものの側面図である。
【００７０】
本実施形態においても、前述の第１の実施形態等と同様に、還流ダイオード１０３ａ〜１０３ｄおよび１０４ａ〜１０４ｄのうち、互いに隣接する位置に配置されたもの同士が、いずれか１つの頂点同士が互いに対向するように配置されている。そのため、互いの熱的な干渉を軽減し、還流ダイオード１０３ａ〜１０３ｄおよび１０４ａ〜１０４ｄの放熱を十分に行うことができる。
【００７１】
また、第７の実施形態と同様に、還流ダイオード１０３ａ〜１０３ｄ、１０４ａ〜１０４ｄでは、還流電流経路の長さがそれぞれ略同一である。したがって、還流ダイオード１０３ａ〜１０３ｄ、１０４ａ〜１０４ｄをそれぞれ並列接続した場合に、インダクタンス成分Ｌ１ａ〜Ｌ１ｄ、Ｌ２ａ〜Ｌ２ｄをそれぞれ均一化し、還流ダイオード１０３ａ〜１０３ｄ、１０４ａ〜１０４ｄの電気的特性をそれぞれ揃えることができる。
【００７２】
（第１０の実施形態）
図１８は、本発明の第１０の実施形態によるインバータ装置１００の実装配置を示した図である。本実施形態では、上アーム部の還流ダイオード１０３ａ〜１０３ｄと、下アーム部の還流ダイオード１０４ａ〜１０４ｄとが、図１８に示すような位置関係でそれぞれ並べて配置されている。なお、図１８（ａ）は、交流リードフレーム１０７と低圧側リードフレーム１０８の間に、下アーム部のスイッチング素子１０２および還流ダイオード１０４ａ〜１０４ｄが配置された下アームアセンブリの平面図を示している。図１８（ｂ）は、高圧側リードフレーム１０５の上に、上アーム部のスイッチング素子１０１および還流ダイオード１０３ａ〜１０３ｄが配置された上アームアセンブリの平面図を示している。図１８（ｃ）は、これらを組み合わせたものの側面図である。
【００７３】
本実施形態においても、前述の第１の実施形態等と同様に、還流ダイオード１０３ａ〜１０３ｄおよび１０４ａ〜１０４ｄのうち、互いに隣接する位置に配置されたもの同士が、いずれか１つの頂点同士が互いに対向するように配置されている。そのため、互いの熱的な干渉を軽減し、還流ダイオード１０３ａ〜１０３ｄおよび１０４ａ〜１０４ｄの放熱を十分に行うことができる。
【００７４】
また、第７の実施形態と同様に、還流ダイオード１０３ａ〜１０３ｄ、１０４ａ〜１０４ｄでは、還流電流経路の長さがそれぞれ略同一である。したがって、還流ダイオード１０３ａ〜１０３ｄ、１０４ａ〜１０４ｄをそれぞれ並列接続した場合に、インダクタンス成分Ｌ１ａ〜Ｌ１ｄ、Ｌ２ａ〜Ｌ２ｄをそれぞれ均一化し、還流ダイオード１０３ａ〜１０３ｄ、１０４ａ〜１０４ｄの電気的特性をそれぞれ揃えることができる。
【００７５】
なお、以上説明した第１〜第１０の各実施形態では、スイッチング素子１０１、１０２（または１０１ａ〜１０１ｄ、１０２ａ〜１０２ｄ）および還流ダイオード１０３ａ〜１０３ｄ、１０４ａ〜１０４ｄが、四角形形状をそれぞれ有するものとして説明した。しかし、これ以外の形状としてもよい。多角形形状である限り、スイッチング素子１０１、１０２（または１０１ａ〜１０１ｄ、１０２ａ〜１０２ｄ）および還流ダイオード１０３ａ〜１０３ｄ、１０４ａ〜１０４ｄをどのような形状としてもよい。
【００７６】
以上説明した各実施形態や変形例はあくまで一例であり、発明の特徴が損なわれない限り、本発明はこれらの内容に限定されるものではない。
【符号の説明】
【００７７】
１００  インバータ装置
１０１、１０１ａ、１０１ｂ、１０１ｃ、１０１ｄ  上アーム部のスイッチング素子
１０２、１０２ａ、１０２ｂ、１０２ｃ、１０２ｄ  下アーム部のスイッチング素子
１０３ａ、１０３ｂ、１０３ｃ、１０３ｄ  上アーム部の還流ダイオード
１０４ａ、１０４ｂ、１０４ｃ、１０４ｄ  下アーム部の還流ダイオード
１０５  高圧側リードフレーム
１０６  接続用リードフレーム
１０７  交流リードフレーム
１０８  低圧側リードフレーム
１０９  金属スペーサ
１１０  還流電流経路
１１１  駆動電流経路
２００  ゲート駆動回路
３００  負荷
４００  直流電源
５００  キャパシタ
【図１】
2014187790.tif 000003
【図２】
2014187790.tif 000004
【図３】
2014187790.tif 000005
【図４】
2014187790.tif 000006
【図５】
2014187790.tif 000007
【図６】
2014187790.tif 000008
【図７】
2014187790.tif 000009
【図８】
2014187790.tif 000010
【図９】
2014187790.tif 000011
【図１０】
2014187790.tif 000012
【図１１】
2014187790.tif 000013
【図１２】
2014187790.tif 000014
【図１３】
2014187790.tif 000015
【図１４】
2014187790.tif 000016
【図１５】
2014187790.tif 000017
【図１６】
2014187790.tif 000018
【図１７】
2014187790.tif 000019
【図１８】
2014187790.tif 000020